(57)【特許請求の範囲】
【請求項１】
鏡胴内で光軸と直交する面内で移動されることにより、カメラに加わった振動によって生じる像ぶれを補正するカメラの防振レンズのロック機構において、
前記防振レンズを支持するレンズ保持枠に当接して前記防振レンズをロックするロック部材であって、前記レンズ保持枠と当接するロック位置と前記レンズ保持枠から離間した非ロック位置との間で移動されるロック部材と、
前記鏡胴の後端部近傍の外周に前記鏡胴の軸方向に対して前側の位置と後側の位置との間で移動可能に配設されると共に前記ロック部材と連結して前記ロック部材を前記ロック位置と前記非ロック位置の間で移動させる操作部材であって、前記前側の位置に移動することによって前記ロック部材を前記ロック位置に設定し、前記後側の位置に移動することによって前記ロック部材を前記非ロック位置に設定する操作部材と、
前記鏡胴の後端部に設けられた鏡胴側係合部であって、前記鏡胴の後部開口を遮蔽する主部と前記鏡胴の後端部外周に嵌合する周部とから形成された蓋形状のレンズキャップを前記鏡胴の後端部に取り付けるために、前記レンズキャップの内面側に設けられたキャップ側係合部と係合する鏡胴側係合部と、
を備え、
前記操作部材を前記前側の位置に移動させることにより前記ロック部材を前記ロック位置に設定した場合には、前記レンズキャップを前記鏡胴の後端部に嵌め合わせる際に、前記レンズキャップの周部が前記操作部材に当接する前に前記キャップ側係合部が前記鏡胴側係合部に係合する位置に到達し、前記鏡胴の後端部に前記レンズキャップを取り付けることが可能となり、
前記操作部材を前記後側の位置に移動させることにより前記ロック部材を前記非ロック位置に設定した場合には、前記レンズキャップを前記鏡胴の後端部に嵌め合わせる際に、前記キャップ側係合部が前記鏡胴側係合部に係合する位置に到達する前に前記レンズキャップの周部が前記操作部材に当接し、前記鏡胴の後端部に前記レンズキャップを取り付けることが不能となることを特徴とするカメラの防振レンズのロック機構。
【発明の詳細な説明】
【０００１】
【発明の属する技術分野】
本発明はカメラの防振レンズのロック機構に係り、特にテレビカメラ等に用いられ、カメラに加わった振動によって生じる像ぶれを補正する防振レンズを一時鏡胴に固定するためのロック機構に関する。
【０００２】
【従来の技術】
従来、この種の防振レンズを備えたカメラは、防振レンズをカメラの鏡胴内に撮影光軸と直交する面内で移動自在に支持し、カメラに振動が加わると、その振動を打ち消す方向に防振レンズをアクチュエータで移動させて像ぶれを補正している。
【０００３】
ところで、このようなカメラには、カメラを運搬等する時に防振レンズが鏡胴内で動いて損傷しないように、また、振動が殆どなく防振機能を必要としていない時に、防振レンズを鏡胴側に固定するためのロック機構が設けられている。
従来のロック機構は、防振レンズのレンズ保持枠に孔を形成し、この孔に位置決めピンを挿入することにより、位置決めピンを介して防振レンズを鏡胴にロックするように構成されている。
【０００４】
【発明が解決しようとする課題】
しかしながら、従来の防振レンズのロック機構は、ロック時のガタを無くすために孔と位置決めピンとの隙間を最小にする必要があるが、そうすると、ロック時／ロック解除時に位置決めピンを容易に抜き差しすることができず、手間がかかるという欠点がある。
【０００５】
また、カメラの運搬時等に防振レンズをロックするのを忘れても、防振レンズがロックされていないことを積極的に認識させる手段がなかったため、運搬時等における防振レンズの損傷を確実に防止することができないという問題があった。
本発明はこのような事情に鑑みてなされたもので、防振レンズを簡単に且つ確実にロックすることができると共に、カメラの運搬時等に防振レンズのロックを確実に行わせるようにしたカメラの防振レンズのロック機構を提供することを目的とする。
【０００６】
【課題を解決するための手段】
本発明は、前記目的を達成するために、鏡胴内で光軸と直交する面内で移動されることにより、カメラに加わった振動によって生じる像ぶれを補正するカメラの防振レンズのロック機構において、前記防振レンズを支持するレンズ保持枠に当接して前記防振レンズをロックするロック部材であって、前記レンズ保持枠と当接するロック位置と前記レンズ保持枠から離間した非ロック位置との間で移動されるロック部材と、前記鏡胴の後端部近傍の外周に前記鏡胴の軸方向に対して前側の位置と後側の位置との間で移動可能に配設されると共に前記ロック部材と連結して前記ロック部材を前記ロック位置と前記非ロック位置の間で移動させる操作部材であって、前記前側の位置に移動することによって前記ロック部材を前記ロック位置に設定し、前記後側の位置に移動することによって前記ロック部材を前記非ロック位置に設定する操作部材と、前記鏡胴の後端部に設けられた鏡胴側係合部であって、前記鏡胴の後部開口を遮蔽する主部と前記鏡胴の後端部外周に嵌合する周部とから形成された蓋形状のレンズキャップを前記鏡胴の後端部に取り付けるために、前記レンズキャップの内面側に設けられたキャップ側係合部と係合する鏡胴側係合部と、を備え、前記操作部材を前記前側の位置に移動させることにより前記ロック部材を前記ロック位置に設定した場合には、前記レンズキャップを前記鏡胴の後端部に嵌め合わせる際に、前記レンズキャップの周部が前記操作部材に当接する前に前記キャップ側係合部が前記鏡胴側係合部に係合する位置に到達し、前記鏡胴の後端部に前記レンズキャップを取り付けることが可能となり、前記操作部材を前記後側の位置に移動させることにより前記ロック部材を前記非ロック位置に設定した場合には、前記レンズキャップを前記鏡胴の後端部に嵌め合わせる際に、前記キャップ側係合部が前記鏡胴側係合部に係合する位置に到達する前に前記レンズキャップの周部が前記操作部材に当接し、前記鏡胴の後端部に前記レンズキャップを取り付けることが不能となることを特徴としている。
【０００７】
本発明によれば、防振レンズのレンズ保持枠と当接することによって防振レンズをロックするロック部材と、該ロック部材が前記レンズ保持枠に当接するロック位置と前記レンズ保持枠から離間する非ロック位置との間で前記ロック部材を移動させる操作部材とによってロック機構を構成したため、操作部材の操作により防振レンズを簡単に且つ確実にロックすることができ、また、ロック部材が非ロック位置にある場合には鏡胴の後部開口にレンズキャップを取り付けることができないようにしたため、レンズキャップを取り付ける際に防振レンズが非ロック状態であることを容易に認識することができ、運搬時等に防振レンズのロックを確実に行わせることができるようになる。
【０００８】
【発明の実施の形態】
以下添付図面に従って本発明に係るカメラの防振レンズのロック機構の好ましい実施の形態を詳述する。
図１は、本発明の実施の形態に係るカメラの防振レンズのロック機構が適用された防振レンズを示す正面図である。同図に示すようにカメラレンズの鏡胴１０内には、防振レンズ１２がレンズ保持枠１４に保持されて配置される。この防振レンズ１２は、リニアモータ１６、１８によって撮影光軸Ｌと直交する面内で像ぶれを補正する方向に移動される。また、防振レンズ１２は、４本のアーム２０、２２からなる平行リンク機構を介して鏡胴１０に移動自在に支持されている。
【０００９】
リニアモータ１６は、防振レンズ１２を図中左右方向に移動させるもので、モータ本体１６Ａ、及びロッド１６Ｂから構成される。モータ本体１６Ａは、鏡胴１０に固定され、前記ロッド１６Ｂの先端はレンズ保持枠１４の長孔２４にローラ２６を介して係合されている。前記長孔２４はレンズ保持枠１４の左側部に図中上下方向に形成され、よって、長孔２４とローラ２６とは相対的に図中上下方向に移動自在に係合されている。
【００１０】
モータ本体１６Ａのロッド１６Ｂが伸縮動作すると、レンズ保持枠１４はロッド１６Ｂに押されて、又はロッド１６Ｂに引かれて図１上左右方向に移動する。また、レンズ保持枠１４に上下方向の力が加わると、長孔２４がローラ２６にガイドされて防振レンズ１２が上下方向に移動する。
前記リニアモータ１６のロッド１６Ｂには、連結枠２８が固着されている。この連結枠２８は上下方向に配設されて、中央部に前記ロッド１６Ｂが固着され、上下端部がそれぞれリニアガイド３０、３０に摺動自在に支持されている。前記リニアガイド３０、３０は、ロッド１６Ｂと平行に設けられており、これによって、ロッド１６Ｂが伸縮されると、前記連結枠２８はその姿勢を保持したまま左右に平行移動する。
【００１１】
前記連結枠２８には、位置センサ３２の検出用接触針３２Ｂの先端が押圧当接されている。前記位置センサ３２は、前記検出用接触針３２Ｂがロッド１６Ｂと平行になる位置に、そのセンサ本体３２Ａが鏡胴１０に固定され、ロッド１６Ｂの伸縮動作で平行移動する連結枠２８の移動量を検知する。
本実施の形態の位置センサ３２は、検出用接触針３２Ｂをレンズ保持枠１４の周面に直接当接させるのではなく、防振レンズ１２の移動量を間接的に検知することができる連結枠２８に当接させている。連結枠２８は、前述したようにロッド１６Ｂの伸縮量に関係なく姿勢を保持したまま平行移動するので、その移動中に検出用接触針３２Ｂが連結枠２８からズレたり滑ったりすることはない。
【００１２】
符号３４Ａは、スピードジェネレータ３４を構成するボビンで、符号３４Ｂはスピードジェネレータ３４を構成するコアであり、このコア３４Ｂが連結枠２８に固着されている。
一方、リニアモータ１８は、防振レンズ１２を上下方向に移動させるもので、モータ本体１８Ａ、ロッド１８Ｂから構成される。モータ本体１８Ａは、鏡胴１０に固定され、前記ロッド１８Ｂの先端はレンズ保持枠１４の長孔３６にローラ３８を介して係合されている。前記長孔３６はレンズ保持枠１４の下部に左右方向に形成され、よって、長孔３６とローラ３８とは相対的に左右方向に移動自在に係合されている。
【００１３】
モータ本体１８Ａの駆動力でロッド１８Ｂが伸縮動作すると、レンズ保持枠１４はロッド１８Ｂに押されて、又はロッド１８Ｂに引かれて上下方向に移動する。また、レンズ保持枠１４に左右方向の力が加わると、長孔３６がローラ３８にガイドされて防振レンズ１２が左右方向に移動する。
前記リニアモータ１８のロッド１８Ｂには、連結枠４０が固着される。連結枠４０は左右方向に配設されて、中央部に前記ロッド１８Ｂが固着され、左右端部がそれぞれリニアガイド４２、４２に摺動自在に支持されている。前記リニアガイド４２、４２は、ロッド１８Ｂと平行に設けられ、これによって、ロッド１８Ｂが伸縮されると、前記連結枠４０はその姿勢を保持したまま上下に平行移動する。
【００１４】
前記連結枠４０には、位置センサ４４の検出用接触針４４Ｂの先端が押圧当接されている。位置センサ４４は、検出用接触針４４Ｂがロッド１８Ｂと平行になる位置に、センサ本体４４Ａが鏡胴１０に固定され、ロッド１８Ｂの伸縮動作で平行移動する連結枠４０の移動量を検知する。
この位置センサ４４も位置センサ３２と同様に、検出用接触針４４Ｂをレンズ保持枠１４の周面に直接当接させるのではなく、防振レンズ１２の移動量を間接的に検知することができる連結枠４０に当接させている。連結枠４０は、ロッド１８Ｂの伸縮量に関係なく姿勢を保持したまま平行移動するので、その移動中に検出用接触針４４Ｂが連結枠４０からズレたり滑ったりすることはない。
【００１５】
符号４６Ａは、スピードジェネレータ４６を構成するボビンで、符号４６Ｂはスピードジェネレータ４６を構成するコアであり、このコア４６Ｂが連結枠４０に固着されている。
なお、前記鏡胴１０には、図示しない角速度センサが２ヵ所設けられている。一方の角速度センサは鏡胴１０の側部に、他方の角速度センサは鏡胴の上部に設けられている。前者の角速度センサは、鏡胴１０に伝達された振動のうち左右方向成分の振動を検知するもので、この検知された情報は、図示しないＣＰＵに出力される。ＣＰＵは、前記角速度センサからの情報に基づいて防振レンズ１２に与えるべき左右方向の補正移動量を演算する。この左右方向の補正移動量を示す信号は、アンプで増幅されたのち、リニアモータ１６に出力される。リニアモータ１６は、ＣＰＵからの前記信号に応じた量だけロッド１６Ｂを伸長又は収縮する。
【００１６】
一方、後者の角速度センサは、鏡胴１０に伝達された振動のうち上下方向成分の振動を検知するもので、検知された情報は前記ＣＰＵに出力される。ＣＰＵは、前記角速度センサからの情報に基づいて防振レンズ１２に与えるべき上下方向の補正移動量を演算し、この上下方向の補正移動量を示す信号をアンプを介してリニアモータ１８に出力する。リニアモータ１８は、ＣＰＵからの信号に応じた量だけロッド１８Ｂを伸長又は収縮する。これによって、カメラに加わった振動による像ぶれが防振レンズ１２によって補正される。
【００１７】
図２は、前記防振レンズ１２のロック機構の実施の形態を示す要部断面図である。
同図に示すロック機構は、主としてロック部材５０、圧縮バネ５２、調整リング５４、ロックリング（操作部材）５６とから構成されている。前記ロック部材５０は、リング状に形成されており、防振レンズ１２の後部に光軸方向に移動自在に配置されると共に、その後方に配設された圧縮バネ５２によって前方に付勢されている。ロック部材５０には、光軸に垂直な面に対して略４５度に傾斜したテーパ面５０Ａが形成され、防振レンズ１２のレンズ保持枠１４には、そのロック部材５０のテーパ面５０Ａと傾斜角度が略一致するテーパ面１４Ａが形成される。従って、これらのテーパ面５０Ａとテーパ面１４Ａとが圧縮バネ５２の作用によって圧接され、防振レンズ１２が光軸原点でロックされるようになっている。
【００１８】
前記調整リング５４は、前記ロック部材５０と鏡胴１０の間に配置される。調整リング５４の内径は、ロック部材５０の外径と略同一となるように形成され、ロック部材５０はこの調整リング５４によって光軸と垂直な方向の位置が規制される。一方、調整リング５４の外径は、鏡胴１０の内径よりも小さく、鏡胴１０内で光軸と垂直な方向に変位できるように形成されている。このように形成された調整リング５４は、そのフランジ部５４Ａが鏡胴１０の上下左右の４箇所に取り付けられたビス５８の先端と当接することで位置決めされる。これにより、各ビス５８のネジ込み量を調節して、ロック時における防振レンズ１２の上下左右の位置を調節することができるようになっている。
【００１９】
前記ロックリング５６は、鏡胴１０の外周面に外嵌され、ピン６０によってロック部材５０と連結される。このピン６０は、鏡胴１０と調整リング５４に形成されたガイド溝１０Ａ、５４Ｂに挿通され、一端がロック部材５０に固着され、他端がロックリング５６の内周に形成された溝５６Ａに摺動自在に嵌合される。尚、鏡胴１０及びロックリング５６の構造を図３の分解斜視図に示すと、同図に示す鏡胴１０の周面に形成されている長孔が上記ピン６０が挿通されるガイド溝１０Ａであり、ロックリング５６の内周面に周方向に形成されている溝が上記ピン６０と係合する溝５６Ａである。
【００２０】
従って、ロックリング５６に後方（図中右方向）への外力を加えると、図４に示すように圧縮バネ５２の付勢力に抗してロックリング５６が後方に移動すると共に、ロック部材５０がレンズ保持枠１４と当接するロック位置からレンズ保持枠１４から離間した非ロック位置に退避し、防振レンズ１２のロックが解除される。逆にロックリング５６の後方への外力を解除すると、圧縮バネ５２の付勢力によりロックリング５６及びロック部材５０が非ロック位置から前方のロック位置に移動し、図２に示したようにロック部材５０のテーパ面５０Ａと防振レンズ１２のレンズ保持枠１４のテーパ面１４Ａとが圧接して、防振レンズ１２がロックされるようになっている。
【００２１】
また、図３に示すようにロックリング５６が外嵌される鏡胴１０の後面１０Ｂには４つの孔６２、６２、６２、６２が形成されると共に、この後面１０Ｂに対向するロックリング５６内部の後面には、前記孔６２、６２、６２、６２に嵌入する４つの凸部６４、６４、６４、６４が前記孔６２、６２、６２、６２の位置に対応して設けられている。鏡胴１０の孔６２、６２、６２、６２にロックリング５６の凸部６４、６４、６４、６４が嵌入されると、ロックリング５６が図２に示したようなロック位置にまで移動して防振レンズ１２がロックされる。一方、ロックリング５６をロック位置から後方に移動させ、鏡胴１０の孔６２、６２、６２、６２からロックリング５６の凸部６４、６４、６４、６４を外した状態でロックリング５６を回動させると、図４に示すようにロックリング５６の凸部６４、６４、６４、６４が鏡胴１０の後面１０Ｂと当接してロックリング５６のロック位置への移動が規制される。これにより、ロックリング５６の後方への外力を解除してもロックリング５６及びロック部材５０を非ロック位置に保持することができ、防振レンズ１２の非ロック状態を維持することができるようになっている。このようにロックリング５６を光軸方向又は回転方向に操作するだけで防振レンズ１２のロックと非ロックとを切り替えることができるため、従来と比べて操作が簡単である。
【００２２】
また、前記鏡胴１０の後端には、図２乃至図４に示すようにこの鏡胴１０をカメラ本体に連結させるためのバヨネット構造を有するマウント環６６が形成される。鏡胴１０をカメラ本体から取り外した際には、これらの図に示すようにマウント環６６には鏡胴１０の後部開口を覆うレンズキャップ６８が装着されるようになっている。マウント環６６及びレンズキャップ６８のバヨネット構造について説明すると、図３では簡略化して示されているがマウント環６６の外周の所定位置に突起６６Ａが形成される。一方、レンズキャップ６８の内周には、突起６６Ａと係合してレンズキャップ６８の脱落を防止する周方向の溝６８Ａと、突起６６Ａをこの溝６８Ａの位置まで進入させる光軸方向の溝６８Ｂ（図４参照）とが形成される。従って、マウント環６６の突起６６Ａの位置にレンズキャップ６８の光軸方向の溝６８Ｂの位置を合わせてレンズキャップ６８をマウント環６６に所定量押し込み、その後レンズキャップ６８を回転させることによりレンズキャップ６８の周方向の溝６８Ａをマウント環６６の突起６６Ａに係合させてレンズキャップ６８をマウント環６６に取り付けることができるようになっている。
【００２３】
ところで、このレンズキャップ６８は、防振レンズ１２がロックされている場合、即ち、ロックリング５６がロック位置に設定されている場合には、図２に示すようにマウント環６６の突起６６Ａにレンズキャップ６８の周方向の溝６８Ａを係合させることができるが、防振レンズ１２がロックされていない場合、即ち、ロックリング５６が非ロック位置に設定されている場合には、図４に示すようにレンズキャップ６８の周方向の溝６８Ａにマウント環６６の突起６６Ａが到達する前にレンズキャップ６８の先端部６８Ｃがロックリング５６の後面５６Ｂに当接するようになっているため、レンズキャップ６８をマウント環６６に取り付けることができないようになっている。これにより、防振レンズ１２が非ロックの場合には、レンズキャップ６８を取り付ける際に非ロックであることを確実に認識することができ、非ロックのまま運搬時等の振動が防振レンズ１２に加えられる不具合が防止される。
【００２４】
尚、図２では、レンズキャップ６８の先端部６８Ｃをロックリング５６の後面５６Ｂの近傍まで延設してロックリング５６が非ロック位置にある場合にはレンズキャップ６８を取り付けることができないようにしたが、ロックリング５６の後面を後方に突出させても同様の効果を得ることができる。
以上、上記実施の形態では、鏡胴１０の孔６２とロックリング５６の凸部６４を形成することによりロックリング５６を非ロック位置で保持できるようにしたが、これに限らず、他の方法でロックリング５６を非ロック位置に保持するようにしてもよい。例えば、鏡胴１０の外周面とロックリング５６の内周面とをヘイリコイドネジにより係合させてロックリング５６を回動させることにより、ロックリング５６及びロック部材５０をロック位置と非ロック位置とで移動させるようにしてもよい。
【００２５】
【発明の効果】
以上説明したように本発明に係るカメラの防振レンズのロック機構によれば、防振レンズのレンズ保持枠と当接することによって防振レンズをロックするロック部材と、該ロック部材が前記レンズ保持枠に当接するロック位置と前記レンズ保持枠から離間する非ロック位置との間で前記ロック部材を進退移動させる操作部材とによってロック機構を構成したため、操作部材の操作により防振レンズを簡単に且つ確実にロックすることができ、また、ロック部材が非ロック位置にある場合には鏡胴の後部開口にレンズキャップを取り付けることができないようにしたため、レンズキャップを取り付ける際に防振レンズが非ロック状態であることを容易に認識することができ、運搬時等に防振レンズのロックを確実に行わせることができるようになる。
【図面の簡単な説明】
【図１】図１は、本発明に係るカメラの防振レンズのロック機構が適用された防振レンズの正面図である。
【図２】図２は、防振レンズのロック機構の実施の形態を示す要部断面図である。
【図３】図３は、ロック機構に係る鏡胴及びロックリングの構造を示した分解斜視図である。
【図４】図４は、防振レンズが非ロックの場合を示した要部断面図である。
【符号の説明】
１０…鏡胴
１２…防振レンズ
１４…レンズ保持枠
１６、１８…リニアモータ
５０…ロック部材
５２…圧縮バネ
５４…調整リング
５６…ロックリング
６８…レンズキャップ
【図１】
0004122505.tif 000002
【図２】
0004122505.tif 000003
【図３】
0004122505.tif 000004
【図４】
0004122505.tif 000005